(57)【要約】【課題】框体が溶融したとしても障子がレールとが、より確実に係合する建具を提供する。【解決手段】合成樹脂製の枠体が備えるレールが挿入される溝状のレール挿入部が設けられた合成樹脂製の框材を備えた障子を有する建具であって、前記障子は、前記レール挿入部内の前記レールが挿入される開放端側に、当該レール挿入部に挿入され前記レールに当接する気密材と、溝状の前記レール挿入部において前記気密材より底側に設けられた難燃性または不燃性の框補強部材と、前記框材において前記レール挿入部の外側に設けられて前記框補強部材と連結され前記開放端側に延出されて前記障子の外周縁の一部をなす難燃性または不燃性の縁部材と、を有する。【選択図】図１
2015232225.tif 000002
【特許請求の範囲】
【請求項１】
合成樹脂製の枠体が備えるレールが挿入される溝状のレール挿入部が設けられた合成樹脂製の框材を備えた障子を有する建具であって、
前記障子は、前記レール挿入部内の前記レールが挿入される開放端側に、当該レール挿入部に挿入され前記レールに当接する気密材と、溝状の前記レール挿入部において前記気密材より底側に設けられた難燃性または不燃性の框補強部材と、前記框材において前記レール挿入部の外側に設けられて前記框補強部材と連結され前記開放端側に延出されて前記障子の外周縁の一部をなす難燃性または不燃性の縁部材と、
を有することを特徴とする建具。
【請求項２】
請求項１に記載の建具であって、
前記レールは、見込み方向に並べて複数設けられており、
前記障子は、前記枠体が形成する開口を閉塞する状態にて、見込み方向において互いに隣接する当該障子同士が対向する部位の少なくともいずれか一方に、前記縁部材が設けられていることを特徴とする建具。
【請求項３】
請求項２に記載の建具であって、
前記レールは、前記障子の下側に位置して前記框材に挿入される下レールであり、
見込み方向において互いに隣接する前記下レールの間には、当該隣接する前記下レールが各々挿入される前記障子が備える前記縁部材の下方に間隔を隔てて設けられ、前記障子が降下した際に前記縁部材が載置される載置部を有し、前記障子の更なる降下を規制する規制部材が設けられていることを特徴とする建具。
【請求項４】
請求項３に記載の建具であって、
前記下レールは、当該下レールの長手方向に沿う中空部と、前記中空部内に難燃性または不燃性のレール補強部材と、を備えており、
前記障子が降下して前記縁部材が載置された状態で、
前記下レールの前記レール補強部材の上側に位置する縁部は、前記下レールが挿入される前記レール挿入部を備える前記框材に設けられた前記縁部材がなす前記外周縁より高い位置に位置することを特徴とする建具。
【請求項５】
請求項３または請求項４に記載の建具であって、
前記規制部材は、前記載置部の見込み方向における端部に、前記載置部より上方に突出して、前記縁部材が前記載置部に載置されたときに前記縁部材と前記下レールとの間に入り込む突部を備えていることを特徴とする建具。
【請求項６】
請求項３乃至請求項５のいずれかに記載の建具であって、
前記規制部材は、前記載置部の上に、加熱されて上方に膨張する加熱発泡材が設けられていることを特徴とする建具。
【請求項７】
請求項３乃至請求項６のいずれかに記載の建具であって、
前記枠体は、前記下レールの下方に当該下レールに沿って各々設けられたレール下中空部と、各々の前記レール下中空部内に各々設けられた難燃性または不燃性の２つの下枠補強部材と、を備え、
前記規制部材は、前記２つの下枠補強部材の上方にて架け渡されるとともに接合されていることを特徴とする建具。
【請求項８】
請求項１または請求項２に記載の建具であって、
前記レールは、前記障子の上側に位置して前記框材に挿入される上レールであり、
前記上レールは、当該上レールの長手方向に沿う中空部と、前記中空部内に難燃性または不燃性のレール補強部材と、を備えており、
前記上レールの前記レール補強部材の下側に位置する縁部は、前記上レールが挿入される前記レール挿入部を備える前記框材に設けられた前記縁部材がなす前記外周縁より低い位置に位置することを特徴とする建具。
【発明の詳細な説明】
【技術分野】
【０００１】
本発明は、合成樹脂製の枠体が備えるレールが挿入される溝状のレール挿入部が設けられた合成樹脂製の框材を備えた障子を有する建具に関する。
【背景技術】
【０００２】
合成樹脂製の枠体が備えるレールが挿入される溝状のレール挿入部が設けられた合成樹脂製の框材を備えた障子を有する建具としては、例えば、上框、下框および縦框を方形状に框組みした框体にガラス体が納められた障子の、上框に枠体に設けられた上レールを収容する溝状の部位が設けられ、下框に枠体に設けられた下レールを収容する溝状の部位が設けられた樹脂サッシが知られている（例えば、特許文献１参照）。この樹脂サッシには、上レールまたは下レールを収容する溝状の部位の開放端側に、収容しているレールに当接するように気密材が設けられている。
【先行技術文献】
【特許文献】
【０００３】
【特許文献１】特開２００７−３１９９２号公報
【発明の概要】
【発明が解決しようとする課題】
【０００４】
上記のような樹脂サッシは、火炎に晒されると合成樹脂製の框体が溶融してしまうので、溶融しても框体がレールに係合されるように、レールが収容される溝状の部位内に例えば金属製の補強部材が設けられている。しかしながら、レールを収容している溝状の部位の開放端側には気密材が設けられているので、補強部材は障子の外周縁部まで設けることができない。このため、框体が溶融した際に、補強部材とレールとが係合しない虞があるという課題がある。
【０００５】
本発明は、かかる課題に鑑みてなされたものであり、その目的とするところは、框体が溶融したとしても障子がレールとが、より確実に係合する建具を提供することにある。
【課題を解決するための手段】
【０００６】
かかる目的を達成するために本発明の建具は、合成樹脂製の枠体が備えるレールが挿入される溝状のレール挿入部が設けられた合成樹脂製の框材を備えた障子を有する建具であって、前記障子は、前記レール挿入部内の前記レールが挿入される開放端側に、当該レール挿入部に挿入され前記レールに当接する気密材と、溝状の前記レール挿入部において前記気密材より底側に設けられた難燃性または不燃性の框補強部材と、前記框材において前記レール挿入部の外側に設けられて前記框補強部材と連結され前記開放端側に延出されて前記障子の外周縁の一部をなす難燃性または不燃性の縁部材と、を有することを特徴とする建具である。
【０００７】
このような建具によれば、レールが挿入されているレール挿入部の外側に設けられてレール挿入部内の框補強部材と連結され、開放端側に延出されて障子の外周縁の一部をなす難燃性または不燃性の縁部材が、障子に設けられているので、レール挿入部の開放端側に設けられた気密材より底側に設けられた框補強部材よりも、障子の外周側に難燃性または不燃性の部材を配置することが可能である。このため、框補強部材のみが設けられている場合より、レールと框体に設けられた縁部材とが見込み方向に重なる量が大きくなるので、框体が溶融したとしてもレールと障子とが、より確実に係合する建具を提供することが可能である。
【０００８】
かかる建具であって、前記レールは、見込み方向に並べて複数設けられており、前記障子は、前記枠体が形成する開口を閉塞する状態にて、見込み方向において互いに隣接する当該障子同士が対向する部位の少なくともいずれか一方に、前記縁部材が設けられていることが望ましい。
【０００９】
このような建具によれば、見込み方向に並べて設けられた複数のレールに対応する複数の障子が、枠体が形成する開口を閉塞する状態にて、互いに隣接する障子の対向する部位に縁部材が設けられているので、開口を閉塞する状態、すなわち障子が閉じられた状態では、縁部材が視認されにくい。このため、意匠性を損なうことなく難燃性または不燃性の縁部材を備えることが可能である。
【００１０】
かかる建具であって、前記レールは、前記障子の下側に位置して前記框材に挿入される下レールであり、見込み方向において互いに隣接する前記下レールの間には、当該隣接する前記下レールが各々挿入される前記障子が備える前記縁部材の下方に間隔を隔てて設けられ、前記障子が降下した際に前記縁部材が載置される載置部を有し、前記障子の更なる降下を規制する規制部材が設けられていることが望ましい。
【００１１】
このような建具によれば、見込み方向において互いに隣接する下レールの間には、障子が降下した際に縁部材が載置されて当該障子の更なる降下を規制する規制部材が設けられているので、たとえば、下側の框材が溶融したとしても、規制部材に載置された障子は更に降下しない。このため、障子が降下することにより上レールから外れる、あるいは、脱落することを防止することが可能である。また規制部材は、各障子が備える縁部材と上下方向に間隔を隔てて設けられているので、障子がレールに沿って移動する際に接触しない。このため、障子が適切に納められていれば滑らかに移動することが可能である。
【００１２】
かかる建具であって、前記下レールは、当該下レールの長手方向に沿う中空部と、前記中空部内に難燃性または不燃性のレール補強部材と、を備えており、前記障子が降下して前記縁部材が載置された状態で、前記下レールの前記レール補強部材の上側に位置する縁部は、前記下レールが挿入される前記レール挿入部を備える前記框材に設けられた前記縁部材がなす前記外周縁より高い位置に位置することが望ましい。
【００１３】
このような建具によれば、障子が降下して縁部材が載置された状態では、下レールのレール補強部材の上側に位置する縁部は、下レールが挿入される下側の框材に設けられた縁部材がなす外周縁より高いので、下側の框材が溶融したとしても、降下した障子が下レールと下側の框材との間にて見込み方向に移動することも防止することが可能である。
【００１４】
かかる建具であって、前記規制部材は、前記載置部の見込み方向における端部に、前記載置部より上方に突出して、前記縁部材が前記載置部に載置されたときに前記縁部材と前記下レールとの間に入り込む突部を備えていることが望ましい。
【００１５】
このような建具によれば、障子が降下した際に縁部材が載置される規制部材の載置部には、見込み方向における端部に、障子が降下したときに縁部材とレールとの間に入り込む突部が設けられているので、障子が降下したときには、突部と障子に設けられた縁部材とが見込み方向に重なる。このため、降下した障子が見込み方向に移動することも防止することが可能である。
かかる建具であって、前記規制部材は、前記載置部の上に、加熱されて上方に膨張する加熱発泡材が設けられていることが望ましい。
【００１６】
このような建具によれば、載置部の上に加熱発泡材が設けられているので、火炎により框材が溶融して載置部上に降下した、隣接する障子間にて加熱発泡材が膨張する。このため、隣接する障子間が膨張した加熱発泡材で埋められて隣接する障子間の下方から火炎が貫通することを防止することが可能である。
【００１７】
かかる建具であって、前記枠体は、前記下レールの下方に当該下レールに沿って各々設けられたレール下中空部と、各々の前記レール下中空部内に各々設けられた難燃性または不燃性の２つの下枠補強部材と、を備え、前記規制部材は、前記２つの下枠補強部材の上方にて架け渡されるとともに接合されていることが望ましい。
【００１８】
このような建具によれば、下レールの下方に沿ってそれぞれ設けられた下枠補強部材の上方に架け渡された規制部材により２つの下枠補強部材が接合されているので、下枠の剛性を高めるとともに、下枠が溶融した際に、２つの下補強部材の間にて下枠が折れる、或いは、分離することを防止することが可能である。
【００１９】
かかる建具であって、前記レールは、前記障子の上側に位置して前記框材に挿入される上レールであり、前記上レールは、当該上レールの長手方向に沿う中空部と、前記中空部内に難燃性または不燃性のレール補強部材と、を備えており、前記上レールの前記レール補強部材の下側に位置する縁部は、前記上レールが挿入される前記レール挿入部を備える前記框材に設けられた前記縁部材がなす前記外周縁より低い位置に位置することが望ましい。
【００２０】
このような建具によれば、上レールのレール補強部材の下側に位置する縁部は、上レールを収容する上側の框材に設けられた縁部材がなす外周縁より低いので、框材が溶融したとしても、降下した障子が上レールと上側の框材との間にて見込み方向に移動することを防止することが可能である。
【発明の効果】
【００２１】
本発明によれば、框体が溶融したとしても障子がレールとが、より確実に係合する建具を提供することが可能である。
【図面の簡単な説明】
【００２２】
【図１】本実施形態に係る建具の縦断面図である。
【図２】本実施形態に係る建具の横断面図である。
【図３】建具の上部を示す縦断面図である。
【図４】建具の下部を示す縦断面図である。
【図５】規制部材および縁部材を示す斜視図である。
【図６】規制部材と縁部材との係合状態を下方から見た斜視図である。
【図７】降下した障子が規制部材上に載置された状態の下部を示す縦断面図である。
【発明を実施するための形態】
【００２３】
以下、本発明の一実施形態に係る建具について図面を参照して説明する。
本実施形態の建具は、図１、図２に示すように、内障子３および外障子４を備えた引違い窓用の建具１である。
【００２４】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００２５】
本実施形態の建具１は、矩形状に枠組みされた合成樹脂製の枠体１０と、枠体１０に沿って移動可能に設けられ、枠体１０により形成され室内と室外とを連通する開口１０ａを閉塞可能な内障子３および外障子４と、を備えている。
【００２６】
枠体１０を構成し、障子３、４の上側に位置する上枠１１および障子３、４の下側に位置する下枠１２は同一断面形状をなしており、枠体１０の状態で互いに対向する上対向面部１１１および下対向面部１２１と、上対向面部１１１および下対向面部１２１から互いに対向する側に各々突出させて障子３、４が案内されるレール１１２、１２２が２本ずつ設けられている。上枠１１および下枠１２にそれぞれ設けられた２本のレール１１２、１２２は、見込み方向に互いに間隔を隔てて設けられている。
【００２７】
図３に示すように、上枠１１の上レール１１２は、長手方向に沿うレール中空部１１２ａを有しており、レール中空部１１２ａ内には不燃性である鉄製の補強部材（以下、レール補強部材という）１３がほぼ全長に渡ってそれぞれ設けられている。
【００２８】
上枠１１の上対向面部１１１の、外周側、すなわち、各上レール１１２が突出している下側と反対側となる上側には、複数の上枠中空部１１１ａが見込み方向に並べて設けられており、それら上枠中空部１１１ａの１つが各上レール１１２の外周側に位置するように配置されている。各上レール１１２の外周側に設けられている上枠中空部１１１ａ内には、各々鉄製の補強部材（以下、上枠補強部材という）１５がほぼ全長に渡ってそれぞれ設けられている。上枠補強部材１５には、室外側の部位と上枠中空部１１１ａを形成する室外側の壁部１１１ｂとの間に位置するように加熱発泡材としての熱膨張性黒鉛３２が設けられている。
【００２９】
上枠１１の各上レール１１２内に設けられたレール補強部材１３と、上枠１１の各上レール１１２の外周側の上枠中空部１１１ａ内に設けられた上枠補強部材１５とは、上レール１１２のレール中空部１１２ａを上下方向に貫通する皿ビス１６にて接合されている。
【００３０】
図４に示すように、下枠１２の下レール１２２は、長手方向に沿うレール中空部１２２ａを有しており、レール中空部１２２ａ内には、上枠１１のレール中空部１１２ａ内と同様に不燃性である鉄製の補強部材（以下、レール補強部材という）１３がほぼ全長に渡ってそれぞれ設けられている。下枠１２の下レール１２２の上端には、障子３、４に設けられた合成樹脂製の戸車２９が載置されて案内されつつ転動するレール金具１４が嵌合されている。
【００３１】
下枠１２の下対向面部１２１の、外周側、すなわち、各下レール１２２が突出している上側と反対側となる下側には、複数のレール下中空部としての下枠中空部１２１ａが見込み方向に並べて設けられており、それら下枠中空部１２１ａの１つが各下レール１２２の外周側に位置するように配置されている。下枠１２の各下レール１２２の下に設けられた下枠中空部１２１ａは、各下レール１２２の見込み方向の幅より広く形成されており、室内側の下レール１２２の下の下枠中空部１２１ａは下レール１２２より室外側に至るように形成され、室外側の下レール１２２の下の下枠中空部１２１ａは下レール１２２より室内側に至るように形成されている。
【００３２】
各下レールの１２２の外周側に設けられている下枠中空部１２１ａ内には、各々鉄製の補強部材（以下、下枠補強部材という）１７がほぼ全長に渡り、下枠中空部１２１ａの見込み方向におけるほぼ全幅に渡ってそれぞれ設けられている。下枠補強部材１７には、室外側の部位と下枠中空部１２１ａを形成する室外側の壁部１２１ｂとの間に位置するように加熱発泡材としての熱膨張性黒鉛３２が設けられている。
【００３３】
下枠１２の各下レール１２２内に設けられたレール補強部材１３と、下枠１２の各下レール１２２の外周側の下枠中空部１２１ａ内に設けられた下枠補強部材１７とは、下レール１２２のレール中空部１２２ａを上下方向に貫通する皿ビス１６にて接合されている。
枠体１０は、躯体２に固定され、下枠１２が有する２つの下枠補強部材１７間に渡る鉄製のブラケット１８に支持されている。
【００３４】
内障子３および外障子４は、面材としての複層ガラス５と、複層ガラス５の各端部を各々収容する合成樹脂製の上框２１、下框２２、戸先框２３および召合せ框２４が矩形状に框組みされた框体２０と、を有している。
【００３５】
上框２１、下框２２、戸先框２３および召合せ框２４はいずれも、框本体２１ａ、２２ａ、２３ａ、２４ａと、框本体２１ａ、２２ａ、２３ａ、２４ａに係合される押縁３０と、を有している。上框２１、下框２２、戸先框２３および召合せ框２４は、矩形状に框組みされた框体２０の状態において内周側に、框本体２１ａ、２２ａ、２３ａ、２４ａに係合された押縁３０とともに複層ガラス５の端部が収容されるガラス収容部２１ｂ、２２ｂ、２３ｂ、２４ｂを形成し、ガラス収容部２１ｂ、２２ｂ、２３ｂ、２４ｂの外周側に各々長手方向に貫通する中空部２１ｃ、２２ｃ、２３ｃ、２４ｃを有している。
【００３６】
複層ガラス５は、周縁部が鉄製の保持金具６により室内側および室外側から挟まれた状態でガラス収容部２１ｂ、２２ｂ、２３ｂ、２４ｂに収容されている。
【００３７】
内障子３および外障子４を構成する上框２１、下框２２、戸先框２３および召合せ框２４のガラス収容部２１ｂ、２２ｂ、２３ｂ、２４ｂおよび中空部２１ｃ、２２ｃ、２３ｃ、２４ｃを形成する部位は、同一の断面形状をなしており、框体２０は、上框２１、下框２２、戸先框２３および召合せ框２４の長手方向における端部が各々４５度の傾斜をなすように切断され、互いに隣接する各框２１、２２、２３、２４同士の端部を突き合わせて溶着されて形成されている。
【００３８】
内障子３および外障子４の各框２１、２２、２３、２４が有する中空部２１ｃ、２２ｃ、２３ｃ、２４ｃ内には、各框２１、２２、２３、２４の長手方向に沿って不燃性である鉄製の中空部補強部材２５が各々設けられている。中空部補強部材２５は、断面がコ字状をなし、対向する一対の対向壁部２５ａと、対向壁部２５ａの一方の端同士を連結する連結壁部２５ｂと、を有している。複層ガラス５の周縁部に設けられた鉄製の保持金具６と中空部補強部材２５はビスまたはリベットにより接合されている
【００３９】
内障子３および外障子４の上框２１、下框２２および戸先框２３には、框体２０状に框組みされた状態の外周部に、内周側に向かって窪む溝状凹部２１ｄ、２２ｄ、２３ｄが、上框２１、下框２２および戸先框２３の各々の長手方向に沿って設けられている。各溝状凹部２１ｄ、２２ｄ、２３ｄは、開放されている、框体２０の外周側が開放端側となり、内周側が底側となる。上框２１および下框２２に設けられた溝状凹部２１ｄ、２２ｄは、内障子３および外障子４が枠体１０に装着された際に、枠体１０のレール１１２、１２２が挿入されるレール挿入部に相当する。
【００４０】
上框２１および下框２２の溝状凹部２１ｄ、２２ｄ内には、溝状凹部２１ｄ、２２ｄの対向する壁部２１ｅ、２２ｅの開放端側にそれぞれ、互いに対向する側に向かって突出するように、所謂モヘアと呼ばれる気密材３１が設けられている。この気密材３１は、内障子３および外障子４が、枠体１０に装着された際に、溝状凹部２１ｄ、２２ｄに挿入されている枠体１０の上レール１１２または下レール１２２に見込み方向における両側からそれぞれ当接する。ここで、モヘヤは、繊維が起毛状（ブラシ状）に設けられる部材であって、建具等において一般的にエアタイト材、止水材、虫等の浸入を防ぐ防虫材等として用いられる部材を示している。
【００４１】
また、上框２１および下框２２の溝状凹部２１ｄ、２２ｄ内には、気密材３１より底側に不燃性である鉄製の框補強部材２６が溝状凹部２１ｄ、２２ｄのほぼ全長に渡って設けられている。框補強部材２６は、縦断面がコ字状をなし、溝状凹部２１ｄ、２２ｄの対向する壁部２１ｅ、２２ｅにそれぞれ沿うとともに対面する室内側壁部２６ａおよび室外側壁部２６ｂと、室内側壁部２６ａおよび室外側壁部２６ｂの一方の端同士を連結し底部２１ｆ、２２ｆに沿うとともに対面する底側連結部２６ｃと、を有している。框補強部材２６と中空部補強部材２５とは、ビスまたはリベットにより接合されている。
【００４２】
本実施形態の建具１の、下枠１２の２本の下レール１２２間には、内障子３および外障子４を閉じた状態、すなわち開口１０ａを閉塞する状態にて、内障子３と外障子４との召合せ框２４同士が見込み方向に対向する召合せ部の下方に、合成樹脂製の風止め部材(不図示)と、内障子３および外障子４の降下を規制するための、不燃性である鉄製の規制部材２７とが、左右方向に並べて下対向面部１２１上に設けられている。風止め部材と規制部材２７とは、規制部材２７が風止め部材の、外障子４における戸先側に位置して隣接するように配置されている。
【００４３】
また、内障子３および外障子４の下端部には、召合せ部において互いに対向する側にそれぞれ、内障子３および外障子４の外周縁、具体的には下端側の縁の一部をなす不燃性である鉄製の縁部材２８が設けられている。縁部材２８は、下框２２の溝状凹部２２ｄ内に設けられた框補強部材２６とビスにより連結されている。
【００４４】
規制部材２７は、図４〜図６に示すように、下枠１２の下対向面部１２１と上下方向に間隔を隔てて対向する水平面を形成し、降下した内障子３および外障子４が載置される載置部２７ａと、載置部２７ａの左右方向における両縁から各々垂設された２つの脚部２７ｂ、２７ｃと、２つの脚部２７ｂ、２７ｃのうちの外障子４の戸先側に位置する脚部２７ｂの下端から水平方向に他方の脚部２７ｃと反対側に延出されてビス止めされる固定部２７ｄと、を有している。載置部２７ａの室内側には、室内側に延出されるとともに上方に立ち上がる突部２７ｅが設けられ、載置部２７ａの室外側には、室外側に延出されるとともに上方に立ち上がる突部２７ｅが設けられている。規制部材２７には、載置部２７ａの上面と、外障子４の戸尻側に位置する脚部２７ｃに、隣り合わせて設けられている風止め部材側の面と、に熱膨張性黒鉛３２が貼り付けられている。
【００４５】
縁部材２８は、鉄板を縦断面がＬ字状をなすように折り曲げて形成されている。縁部材２８は、下框２２の室内または室外に臨む面に当接されて、溝状凹部２２ｄ内に設けられている框補強部材２６にビス止めされ、下框２２の溝状凹部２２ｄの開放端側に延出されている固定板部２８ａと、固定板部２８ａの下縁からほぼ直角に折り曲げられ、下框２２が有する溝状凹部２２ｄの室内側および室外側にて下面をなす部位のいずれか一方の一部を覆う周面板部２８ｂと、を有している。すなわち、縁部材２８は、内障子３の召合せ部において、下框２２の室外側の面に固定板部２８ａが当接されて固定され、周面板部２８ｂが下框２２において溝状凹部２２ｄより室外側の下面を覆って内障子３の外周縁の一部をなし、外障子４の召合せ部において、下框２２の室内側の面に固定板部２８ａが当接されて固定され、周面板部２８ｂが下框２２において溝状凹部２２ｄより室内側の下面を覆って外障子４の外周縁の一部をなすようにそれぞれ取り付けられる。
【００４６】
規制部材２７は、下枠１２に取り付けられた状態にて、室内側の突部２７ｅが下枠１２の室内側の下レール１２２に近接して対向し、室外側の突部２７ｅが下枠１２の室外側の下レール１２２に近接して対向するように形成されている。このため、内障子３および外障子４の戸車２９が下レール１２２のレール金具１４上に載置されて、内障子３および外障子４が枠体１０に装着された状態では、室内側の突部２７ｅ上に、内障子３の下框２２が有する溝状凹部２２ｄ内に設けられて、室内側の下レール１２２の室外側の面に当接する気密材３１が位置しており、室外側の突部２７ｅ上に、外障子４の下框２２が有する溝状凹部２２ｄ内に設けられて、室外側の下レール１２２の室内側の面に当接する気密材３１が位置している。このため、建具１が火炎等に晒され合成樹脂製の戸車２９が溶融して、内障子３および外障子４が降下すると、図７に示すように、内障子３および外障子４の下框２２に設けられた縁部材２８が規制部材２７の載置部２７ａ上に当接されて内障子３および外障子４が載置される。このとき、内障子３および外障子４に設けられた縁部材２８の周面板部２８ｂは、規制部材２７の突部２７ｅの上端より下に位置するので、内障子３および外障子４の見込み方向の移動も規制される。
【００４７】
本実施形態の建具１が備える内障子３および外障子４には、図３に示すように、上框２１の召合せ部にも縁部材２８が設けられている。上框２１に設けられた縁部材２８は、内障子３の召合せ部において、上框２１の室外側の面に固定板部２８ａが当接されて固定され、周面板部２８ｂが上框２１において溝状凹部２１ｄより室外側の上面を覆って内障子３の外周縁の一部をなし、外障子４の召合せ部において、上框２１の室内側の面に固定板部２８ａが当接されて固定され、周面板部２８ｂが上框２１において溝状凹部２１ｄより室内側の上面を覆って外障子４の外周縁の一部をなすようにそれぞれ取り付けられる。
【００４８】
このとき、内障子３および外障子４の上框２１に設けられた縁部材２８の周面板部２８ｂが、レール補強部材１３の下側の縁部１３ａより上に位置している。また、建具１が火炎等に晒され合成樹脂製の戸車２９が溶融して、内障子３および外障子４が降下した場合には、縁部材２８が規制部材２７の載置部２７ａ上に当接されて内障子３および外障子４が載置された場合および規制部材２７が設けられていない場合であっても、内障子３および外障子４の上框２１に設けられた縁部材２８の周面板部２８ｂが、レール補強部材１３の下側の縁部１３ａより上に位置して、内障子３および外障子４が、上レール１１２に係合された状態が維持されるように構成されている。
【００４９】
本実施形態の建具１によれば、レール１１２、１２２が収容されている溝状凹部２１ｄ、２２ｄの外側に設けられて溝状凹部２１ｄ、２２ｄ内の框補強部材２６と連結され、開放端側に延出されて内障子３および外障子４の外周縁の一部をなす鉄製の縁部材２８が、内障子３および外障子４に設けられているので、溝状凹部２１ｄ、２２ｄの開放端側に設けられた気密材３１より底側に設けられた框補強部材２６よりも、内障子３および外障子４の外周側に鉄製の部材を配置することが可能である。このため、框補強部材２６のみが設けられている場合より、レール１１２、１２２の中空部２１ｃ、２２ｃ内に設けられた鉄製のレール補強部材１３と上框２１および下框２２に設けられた鉄製の縁部材２８とが見込み方向に重なる量が大きくなるので、框体２０が溶融したとしてもレール１１２、１２２と障子３、４とが、より確実に係合する建具１を提供することが可能である。
【００５０】
また、見込み方向に並べて設けられた２本のレール１１２、１２２に対応する内障子３および外障子４が、枠体１０が形成する開口１０ａを閉塞する状態にて、互いに隣接する内障子３および外障子４の召合せ部に縁部材２８が設けられているので、開口１０ａを閉塞する状態、すなわち内障子３および外障子４が閉じられた状態では、縁部材２８が視認されにくい。このため、意匠性を損なうことなく鉄製の縁部材２８を備えることが可能である。
【００５１】
また、見込み方向において互いに隣接する下レール１２２の間には、内障子３および外障子４が降下した際に縁部材２８が載置されて内障子３および外障子４の更なる降下を規制する規制部材２７が設けられているので、たとえば、下框２２や戸車２９が溶融したとしても、規制部材２７に載置された内障子３および外障子４は更には降下しない。このため、内障子３および外障子４が降下することにより上レール１１２から外れる、あるいは、脱落することを防止することが可能である。
【００５２】
また規制部材２７は、内障子３および外障子４が備える規制部材２７と上下方向に間隔を隔てて設けられているので、内障子３および外障子４がレール１１２、１２２に沿って移動する際に接触しない。このため、内障子３および外障子４が適切に納められていれば滑らかに移動することが可能である。
【００５３】
また、内障子３および外障子４が降下して縁部材２８が載置部２７ａに載置された状態では、下レール１２２のレール補強部材１３の上側に位置する縁部１３ａは、下レール１２２を収容する下框２２に設けられた縁部材２８がなす外周縁２８ｃより高いので、下框２２や戸車２９が溶融したとしても、降下した障子が下レール１２２と下框２２との間にて見込み方向に移動することも防止することが可能である。
【００５４】
また、内障子３および外障子４が降下して縁部材２８が載置された状態では、上レール１１２のレール補強部材１３の下側に位置する縁部１３ａは、上レール１１２を収容する上框２１に設けられた縁部材２８がなす外周縁２８ｃより低いので、框体２０が溶融したとしても、降下した障子が上レール１１２と上框２１との間にて見込み方向に移動することも防止することが可能である。
【００５５】
また、内障子３および外障子４が降下した際に縁部材２８が載置される規制部材２７の載置部２７ａには、見込み方向における端部に、内障子３および外障子４が降下したときに縁部材２８とレール１２２との間に入り込む突部２７ｅが設けられているので、内障子３および外障子４が降下したときには、突部２７ｅと内障子３および外障子４に設けられた縁部材２８の周面板部２８ｂとが見込み方向に重なる。このため、降下した内障子３および外障子４が見込み方向に移動することも防止することが可能である。
【００５６】
また、載置部２７ａの上に熱膨張性黒鉛３２が設けられているので、火炎により下框２２や戸車２９が溶融して載置部２７ａ上に降下した、隣接する内障子３と外障子４との間にて熱膨張性黒鉛３２が膨張するので、内障子３と外障子４との間が膨張した熱膨張性黒鉛３２で埋められて内障子３および外障子４の移動をより確実に規制すること、および、内障子３と外障子４との間の下方から火炎が貫通することを防止することが可能である。
【００５７】
また、下レール１２２の下方に、当該下レール１２２沿ってそれぞれ設けられた下枠補強部材１７の上方に架け渡された規制部材２７により２つの下枠補強部材１７が接合されているので、下枠１２の剛性を高めるとともに、下枠１２が溶融した際に、２つの下枠補強部材１７の間にて下枠１２が折れる、或いは、分離することを防止することが可能である。
【００５８】
上記実施形態においては、レール補強部材１３、上枠補強部材１５、下枠補強部材１７、ブラケット１８、中空部補強部材２５、框補強部材２６、規制部材２７、縁部材２８を不燃性の鉄製としたが、アルミニウム、ステンレス等の不燃性の金属等は、もちろんのこと、難燃性の材料で構成しても構わない。
【００５９】
上記実施形態においては、枠体１０が上下にそれぞれ２本のレールを有し、内障子３と外障子４とを備えた建具１を例に挙げて説明したが、レールの数または障子の数は、これに限るものではない。３本以上のレール及び３枚以上の障子を備えている場合には、見込み方向に隣接する障子が互いに対向する部位に縁部材が設けられ、その下方に規制部材が設けられる。
【００６０】
上記実施形態においては、縁部材２８が、内障子３および外障子４の下框２２にて見込み方向において互いに対向する部位、すなわち下框の外側に設けられている例について説明したが、溝状凹部２２ｄの外側であれば下框２２内に設けられていてもよい。また、上記実施形態の縁部材２８は、断面がＬ字状をなしていたが、障子の外周縁の一部をなすように開放端側に延出されていれば、周面板部２８ｂを有しない平板状であっても構わない。
【００６１】
上記実施形態においては、内障子３および外障子４の溝状凹部２１ｄ、２２ｄ内に、挿入されている下レール１２２に室内側および室外側からそれぞれ当接される気密材３１が設けられている例について説明したが、気密材３１は室内側または室外側の一方のみに設けられていてもよい。この場合には、縁部材２８は、少なくとも気密材３１が設けられている側であって溝状凹部２１ｄ、２２ｄの外側に設けられていることが望ましい。
【００６２】
上記実施形態においては、縁部材２８が、内障子３および外障子４の各々に設けられている例について説明したが、これに限らず、いずれか一方に設けられていてもよい。また、上記実施形態においては、縁部材２８が、開口１０ａを閉塞した状態で内障子３と外障子４とが互いに対向する位置に設けられている例について説明したが、内障子３の室内側および外障子４の室外側に設けられている、或いは、室内側および室外側のいずれにも設けられていても構わない。
【００６３】
上記実施形態においては、レールが挿入される上框２１および下框２２の溝状凹部２１ｄ、２２ｄを対向する壁部２１ｅ、２２ｅと平坦な底部を有する矩形の溝状をなし、框補強部材２６が、縦断面がコ字状をなす例を挙げて説明したが、溝状凹部および框補強部材の形状は、これに限らず例えば断面がＵ字状などの形状であっても構わない。
【００６４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６５】
１  建具、２  躯体、３  内障子、４  外障子、１０  枠体、１０ａ  開口、
１３  レール補強部材、１３ａ  縁部、１７  下枠補強部材、２０  框体、
２１  上框、 ２１ｄ  溝状凹部、２２  下框、２２ｄ  溝状凹部、
２６  框補強部材、２７  規制部材、２７ａ  載置部、２７ｅ  突部、２８  縁部材、
２８ｃ  外周縁、３１  気密材、３２  熱膨張性黒鉛、１１１ａ  上枠中空部、
１１２  上レール、１１２ａ  レール中空部、１２１ａ  下枠中空部、
１２２  下レール、１２２ａ  レール中空部
【図１】
2015232225.tif 000003
【図２】
2015232225.tif 000004
【図３】
2015232225.tif 000005
【図４】
2015232225.tif 000006
【図５】
2015232225.tif 000007
【図６】
2015232225.tif 000008
【図７】
2015232225.tif 000009